(57)【要約】【課題】開いた蓋部から固体光源からの光が漏れることを防止する。【解決手段】蓋部１１４が設けられた映像表示装置１０４であって、映像を投影するために用いられる、映像表示装置１０４の内部に具備された固体光源１２４と、映像表示装置１０４の内部の気圧を測定する気圧センサ１３４と、映像表示装置１０４の内部と外部との換気を行うファン部１８４と、ファン部１８４が動作した場合の気圧センサ１３４が測定した気圧の変化に基づいて、固体光源１２４の点灯を制御する制御部１４４とを有する。【選択図】図９
2018066850.tif 000002
【特許請求の範囲】
【請求項１】
蓋部が設けられた映像表示装置であって、
映像を投影するために用いられる、当該映像表示装置の内部に具備された固体光源と、
当該映像表示装置の内部の気圧を測定する気圧センサと、
当該映像表示装置の内部と外部との換気を行うファン部と、
前記ファン部が動作した場合に前記気圧センサが測定した測定値に示される気圧の変化に基づいて、前記固体光源の点灯を制御する制御部とを有する映像表示装置。
【請求項２】
請求項１に記載の映像表示装置において、
前記ファン部は、
当該映像表示装置の外部から内部への吸気を行う吸気ファン部と、
当該映像表示装置の内部から外部への排気を行う排気ファン部とを有し、
前記制御部は、前記吸気ファン部と前記排気ファン部との少なくとも一方が動作した場合に前記気圧センサが測定した測定値に示される気圧の変化に基づいて、前記固体光源の点灯を制御する映像表示装置。
【請求項３】
請求項２に記載の映像表示装置において、
通知部を有し、
前記制御部は、前記吸気ファン部が動作しているときに前記気圧センサが測定した気圧である動作気圧と、前記吸気ファン部が停止しているときに前記気圧センサが測定した気圧である停止気圧との差分が所定の範囲外である場合、前記固体光源を点灯させ、
前記通知部は、前記動作気圧と前記停止気圧との差分が所定の範囲に含まれる場合、所定の通知を行う映像表示装置。
【請求項４】
請求項２に記載の映像表示装置において、
通知部を有し、
前記制御部は、前記排気ファン部が動作しているときに前記気圧センサが測定した気圧である動作気圧と、前記排気ファン部が停止しているときに前記気圧センサが測定した気圧である停止気圧との差分が所定の範囲外である場合、前記固体光源を点灯させ、
前記通知部は、前記動作気圧と前記停止気圧との差分が所定の範囲に含まれる場合、所定の通知を行う映像表示装置。
【請求項５】
請求項２に記載の映像表示装置において、
通知部を有し、
前記制御部は、前記吸気ファン部が通常の回転方向で動作し、かつ前記排気ファン部が通常の回転方向とは逆の回転方向で動作しているときに前記気圧センサが測定した気圧である動作気圧と、前記吸気ファン部と前記排気ファンとの双方が停止しているときに前記気圧センサが測定した気圧である停止気圧との差分が所定の範囲外である場合、前記固体光源を点灯させ、
前記通知部は、前記動作気圧と前記停止気圧との差分が所定の範囲に含まれる場合、所定の通知を行う映像表示装置。
【請求項６】
請求項２に記載の映像表示装置において、
前記気圧センサは、前記吸気ファン部および前記排気ファン部が動作し、かつ前記制御部が前記固体光源を点灯させている状態で、前記気圧を所定のタイミングで複数回測定し、
前記制御部は、前記気圧センサが測定した気圧と、該測定の前に前記気圧センサが測定した気圧との差分が所定の値よりも大きい場合、前記固体光源を消灯させる映像表示装置。
【請求項７】
請求項６に記載の映像表示装置において、
前記制御部が前記固体光源を消灯させた場合、所定の通知を行う通知部を有する映像表示装置。
【請求項８】
請求項３から５のいずれか１項または請求項７に記載の映像表示装置において、
前記通知部は、所定の表示を行うことで前記通知を行う映像表示装置。
【請求項９】
蓋部が設けられた映像表示装置の内部の気圧を測定する処理と、
前記映像表示装置の内部と外部との換気を行うファン部を動作させる処理と、
前記ファン部が動作した場合に前記測定した測定値に示される気圧の変化に基づいて、映像を投影するために用いられる、前記映像表示装置の内部に具備された固体光源の点灯を制御する処理とを行う光源点灯制御方法。
【発明の詳細な説明】
【技術分野】
【０００１】
本発明は、固体光源を用いて投影を行う映像表示装置および光源点灯制御方法に関する。
【背景技術】
【０００２】
レーザ（以下、ＬＤと称する）等の固体光源を具備するプロジェクタ等の映像表示装置において、映像表示装置の筐体に具備された蓋部を開けた状態のままＬＤを点灯させてしまうと、開いた蓋部からＬＤからの光が映像表示装置の外部へ漏れてしまう場合がある。そこで、開いた蓋部からＬＤからの光が漏れないように蓋部の開閉を検出するスイッチを備え、蓋部が開いていることを検出した場合、ＬＤを消灯させる技術が考えられている（例えば、特許文献１参照。）。
【先行技術文献】
【特許文献】
【０００３】
【特許文献１】特開２０１２−０９３５４６号公報
【発明の概要】
【発明が解決しようとする課題】
【０００４】
昨今のプロジェクタは投射面に対して縦方向に３６０度回転できるチルトフリーや、投射面に対して横方向に３６０度回転して投射するロールフリーなどの様々な設置での投射が可能となっている。そのため、装置の設置状態によっては筐体の歪みなどを要因として、蓋部の開閉を検出するスイッチがその開閉を誤検出するおそれがある。スイッチが蓋部の開閉を誤検出してしまうと、開いた蓋部からＬＤからの光が映像表示装置の外部へ漏れてしまうおそれがある。
【０００５】
本発明の目的は、上述した課題を解決する映像表示装置および光源点灯制御方法を提供することである。
【課題を解決するための手段】
【０００６】
本発明の映像表示装置は、
蓋部が設けられた映像表示装置であって、
映像を投影するために用いられる、当該映像表示装置の内部に具備された固体光源と、
当該映像表示装置の内部の気圧を測定する気圧センサと、
当該映像表示装置の内部と外部との換気を行うファン部と、
前記ファン部が動作した場合に前記気圧センサが測定した測定値に示される気圧の変化に基づいて、前記固体光源の点灯を制御する制御部とを有する。
また、本発明の光源点灯制御方法は、
蓋部が設けられた映像表示装置の内部の気圧を測定する処理と、
前記映像表示装置の内部と外部との換気を行うファン部を動作させる処理と、
前記ファン部が動作した場合に前記測定した測定値に示される気圧の変化に基づいて、映像を投影するために用いられる、前記映像表示装置の内部に具備された固体光源の点灯を制御する処理とを行う。
【発明の効果】
【０００７】
以上説明したように、本発明においては、開いた蓋部から固体光源からの光が漏れることを防止することができる。
【図面の簡単な説明】
【０００８】
【図１】本発明の映像表示装置の第１の実施の形態を示す図である。
【図２】図１に示した映像表示装置における光源点灯制御方法の一例を説明するためのフローチャートである。
【図３】本発明の映像表示装置の第２の実施の形態を示す図である。
【図４】図３に示した映像表示装置における光源点灯制御方法の一例を説明するためのフローチャートである。
【図５】本発明の映像表示装置の第３の実施の形態を示す図である。
【図６】図５に示した映像表示装置における光源点灯制御方法の一例を説明するためのフローチャートである。
【図７】本発明の映像表示装置の第４の実施の形態を示す図である。
【図８】図７に示した映像表示装置における光源点灯制御方法の一例を説明するためのフローチャートである。
【図９】本発明の映像表示装置の第５の実施の形態を示す図である。
【図１０】図９に示した映像表示装置における光源点灯制御方法の一例を説明するためのフローチャートである。
【発明を実施するための形態】
【０００９】
以下に、本発明の実施の形態について図面を参照して説明する。
（第１の実施の形態）
【００１０】
図１は、本発明の映像表示装置の第１の実施の形態を示す図である。本形態における映像表示装置１００は図１に示すように、固体光源１２０と、気圧センサ１３０と、制御部１４０と、吸気ファン部１５０と、排気ファン部１６０と、通知部１７０とを有する。また、映像表示装置１００の筐体には、開閉可能な蓋部１１０が設けられている。なお、図１には、本発明の映像表示装置１００が具備する構成要素のうち、本実施の形態に関わる主要な構成要素の一例を示す。
【００１１】
固体光源１２０は、映像を投影するために用いられる、映像表示装置１００の内部に具備された光源である。固体光源１２０として、例えば、発光ダイオードや、半導体レーザ、有機ＥＬ（Ｅｌｅｃｔｒｏ  Ｌｕｍｉｎｅｓｃｅｎｃｅ）等が挙げられる。
気圧センサ１３０は、映像表示装置１００の内部の気圧を測定する。気圧センサ１３０が気圧を測定するタイミングは、任意である。気圧センサ１３０は、測定した気圧の値を保持する。
制御部１４０は、気圧センサ１３０が測定した気圧の値を取得する。制御部１４０は、吸気ファン部１５０と排気ファン部１６０との少なくとも一方が動作した場合に気圧センサ１３０が測定した測定値に示される気圧の変化に基づいて、固体光源１２０の点灯を制御する。具体的には、制御部１４０は、吸気ファン部１５０および排気ファン部１６０が停止しているときに気圧センサ１３０が測定した気圧である停止気圧を取得する。また、制御部１４０は、吸気ファン部１５０が動作しており、かつ排気ファン部１６０が停止しているときに気圧センサ１３０が測定した気圧である動作気圧を取得する。制御部１４０は、取得した動作気圧と停止気圧とを比較する。比較の結果、動作気圧と停止気圧との差分が、あらかじめ設定された範囲を超える場合、制御部１４０は、固体光源１２０を点灯させる。
吸気ファン部１５０は、映像表示装置１００の外部から内部への吸気を行うファンである。排気ファン部１６０は、映像表示装置１００の内部から外部への排気を行うファンである。吸気ファン部１５０および排気ファン部１６０は、ファン駆動回路（不図示）を用いて動作／停止させられるものである。また、吸気ファン部１５０と排気ファン部１６０とで、映像表示装置１００の内部と外部との換気を行うファン部を構成する。
通知部１７０は、制御部１４０が行った比較の結果、動作気圧と停止気圧との差分が所定の範囲に含まれる場合、所定の通知を行う。ここで、通知部１７０は、例えば、映像表示装置１００に具備された表示部（不図示）に所定の表示を行うことで通知を行う。この所定の通知は、例えば、蓋部１１０が開いていることを示すエラー通知であっても良いし、蓋部１１０が開いていることが原因で固体光源１２０が点灯できないことを示すエラー通知であっても良い。また、通知部１７０は、映像表示装置１００に具備された所定のＬＥＤ（Ｌｉｇｈｔ  Ｅｍｉｔｔｉｎｇ  Ｄｉｏｄｅ）を点灯させたり、点滅させたりして、通知を行うものであっても良い。
【００１２】
以下に、図１に示した映像表示装置１００における光源点灯制御方法について説明する。図２は、図１に示した映像表示装置１００における光源点灯制御方法の一例を説明するためのフローチャートである。
【００１３】
まず、ＡＣ（Ａｌｔｅｒｎａｔｉｎｇ  Ｃｕｒｒｅｎｔ）スイッチＯＮした状態からスタンバイ状態へ移行し、利用者の電源キーの押下やリモコンの操作等、外部からの操作に基づいて映像表示装置１００に電源が投入される（ステップＳ１）。このとき、吸気ファン部１５０および排気ファン部１６０は、動作（回転）を開始しておらず、停止したままである。また、このとき、固体光源１２０は点灯していない。気圧センサ１３０は、映像表示装置１００の内部の気圧の測定を開始する。
続いて、制御部１４０は、気圧センサ１３０が測定した気圧の値（停止気圧）を取得する（ステップＳ２）。すると、ファン駆動部が吸気ファン部１５０を動作させる（ステップＳ３）。その後、制御部１４０は、気圧センサ１３０が測定した気圧（動作気圧）の値を取得する（ステップＳ４）。
すると、制御部１４０は、動作気圧と停止気圧とを比較し、その差分が所定の範囲を超えているかどうかを判定する（ステップＳ５）。ここで、所定の範囲は、あらかじめ設定されたオフセットを用いた範囲である。例えば、動作気圧を「Ａ」とし、停止気圧を「Ｂ」とし、所定の範囲を０〜閾値「Ｃ」までとすると、制御部１４０は、以下の（式１）が成立するかどうかを判定する。
Ａ−Ｂ＞Ｃ  ・・・（式１）
制御部１４０が、動作気圧と停止気圧との差分が所定の範囲を超えている、つまり、（式１）が成立すると判定した場合、制御部１４０は、蓋部１１０が閉じていると判定し、固体光源１２０を点灯させる（ステップＳ６）。一方、制御部１４０が、動作気圧と停止気圧との差分が所定の範囲内である、つまり、（式１）が成立しないと判定した場合は、制御部１４０は、蓋部１１０が開いていると判定し、通知部１７０が所定の通知を行う（ステップＳ７）。
【００１４】
一般的に、蓋部１１０が閉じているときは、吸気ファン部１５０が停止しているときの装置内部の気圧よりも、吸気ファン部１５０が動作したときの装置内部の気圧の方が高くなる。これは、吸気ファン部１５０が動作したときに吸気された空気の逃げ道がなく、装置内部の気圧が高くなるためである。一方、蓋部１１０が開いているときは、吸気ファン部１５０が停止しているときの装置内部の気圧と、吸気ファン部１５０が動作したときの装置内部の気圧とがほぼ等しい。これは、吸気ファン部１５０が動作したときに吸気された空気が、開いている蓋部１１０から外へ排気されるためである。
【００１５】
このように、吸気ファン部１５０が停止している状態での装置内部の気圧と、吸気ファン部１５０が動作している状態での装置内部の気圧とを比較し、その比較の結果に基づいて、固体光源１２０の点灯を制御する。これにより、固体光源１２０からの光が開いた蓋部１１０から漏れることを防止することができる。
（第２の実施の形態）
【００１６】
図３は、本発明の映像表示装置の第２の実施の形態を示す図である。本形態における映像表示装置１０１は図３に示すように、固体光源１２１と、気圧センサ１３１と、制御部１４１と、吸気ファン部１５１と、排気ファン部１６１と、通知部１７１とを有する。また、映像表示装置１０１の筐体には、開閉可能な蓋部１１１が設けられている。なお、図３には、本発明の映像表示装置１０１が具備する構成要素のうち、本実施の形態に関わる主要な構成要素の一例を示す。
【００１７】
固体光源１２１は、図１に示した固体光源１２０と同じものである。気圧センサ１３１は、図１に示した気圧センサ１３０と同じものである。
制御部１４１は、気圧センサ１３１が測定した気圧の値を取得する。制御部１４１は、吸気ファン部１５１と排気ファン部１６１との少なくとも一方が動作した場合に気圧センサ１３１が測定した測定値に示される気圧の変化に基づいて、固体光源１２１の点灯を制御する。具体的には、制御部１４１は、吸気ファン部１５１および排気ファン部１６１が停止しているときに気圧センサ１３１が測定した気圧である停止気圧を取得する。また、制御部１４１は、排気ファン部１６１が動作しており、かつ吸気ファン部１５１が停止しているときに気圧センサ１３１が測定した気圧である動作気圧を取得する。制御部１４１は、取得した動作気圧と停止気圧とを比較する。比較の結果、動作気圧と停止気圧との差分が、あらかじめ設定された範囲を超える場合、制御部１４１は、固体光源１２１を点灯させる。
吸気ファン部１５１および排気ファン部１６１それぞれは、図１に示した吸気ファン部１５０および排気ファン部１６０とそれぞれ同じものである。
通知部１７１は、制御部１４１が行った比較の結果、動作気圧と停止気圧との差分が所定の範囲に含まれる場合、所定の通知を行う。ここで、通知部１７１は、例えば、映像表示装置１０１に具備された表示部（不図示）に所定の表示を行うことで通知を行う。この所定の通知は、例えば、蓋部１１１が開いていることを示すエラー通知であっても良いし、蓋部１１１が開いていることが原因で固体光源１２１が点灯できないことを示すエラー通知であっても良い。また、通知部１７１は、映像表示装置１０１に具備された所定のＬＥＤを点灯させたり、点滅させたりして、通知を行うものであっても良い。
【００１８】
以下に、図３に示した映像表示装置１０１における光源点灯制御方法について説明する。図４は、図３に示した映像表示装置１０１における光源点灯制御方法の一例を説明するためのフローチャートである。
【００１９】
まず、ＡＣスイッチＯＮした状態からスタンバイ状態へ移行し、利用者の電源キーの押下やリモコンの操作等、外部からの操作に基づいて映像表示装置１０１に電源が投入される（ステップＳ１１）。このとき、吸気ファン部１５１および排気ファン部１６１は、動作（回転）を開始しておらず、停止したままである。また、このとき、固体光源１２１は点灯していない。気圧センサ１３１は、映像表示装置１０１の内部の気圧の測定を開始する。
続いて、制御部１４１は、気圧センサ１３１が測定した気圧の値（停止気圧）を取得する（ステップＳ１２）。すると、ファン駆動部が排気ファン部１６１を動作させる（ステップＳ１３）。その後、制御部１４１は、気圧センサ１３１が測定した気圧（動作気圧）の値を取得する（ステップＳ１４）。
すると、制御部１４１は、動作気圧と停止気圧とを比較し、その差分が所定の範囲を超えているかどうかを判定する（ステップＳ１５）。ここで、所定の範囲は、あらかじめ設定されたオフセットを用いた範囲である。例えば、動作気圧を「Ｄ」とし、停止気圧を「Ｅ」とし、所定の範囲を０〜閾値「Ｆ」までとすると、制御部１４１は、以下の（式２）が成立するかどうかを判定する。
Ｅ−Ｄ＞Ｆ  ・・・（式２）
制御部１４１が、動作気圧と停止気圧との差分が所定の範囲を超えている、つまり、（式２）が成立すると判定した場合、制御部１４１は、蓋部１１１が閉じていると判定し、固体光源１２１を点灯させる（ステップＳ１６）。一方、制御部１４１が、動作気圧と停止気圧との差分が所定の範囲内である、つまり、（式２）が成立しないと判定した場合は、制御部１４１は、蓋部１１１が開いていると判定し、通知部１７１が所定の通知を行う（ステップＳ１７）。
【００２０】
一般的に、蓋部１１１が閉じているときは、排気ファン部１６１が停止しているときの装置内部の気圧よりも、排気ファン部１６１が動作したときの装置内部の気圧の方が低くなる。これは、排気ファン部１６１が動作したときに内部の空気が排気される一方で、装置内部への空気の入り口がなく、装置内部の気圧が低くなるためである。一方、蓋部１１１が開いているときは、排気ファン部１６１が停止しているときの装置内部の気圧と、排気ファン部１６１が動作したときの装置内部の気圧とがほぼ等しい。これは、排気ファン部１６１が動作して装置内部の空気が排気されても、開いている蓋部１１１から空気が装置内部へ入り込むためである。
【００２１】
このように、排気ファン部１６１が停止している状態での装置内部の気圧と、排気ファン部１６１が動作している状態での装置内部の気圧とを比較し、その比較の結果に基づいて、固体光源１２１の点灯を制御する。これにより、固体光源１２１からの光が開いた蓋部１１１から漏れることを防止することができる。
（第３の実施の形態）
【００２２】
図５は、本発明の映像表示装置の第３の実施の形態を示す図である。本形態における映像表示装置１０２は図５に示すように、固体光源１２２と、気圧センサ１３２と、制御部１４２と、吸気ファン部１５２と、排気ファン部１６２と、通知部１７２とを有する。また、映像表示装置１０２の筐体には、開閉可能な蓋部１１２が設けられている。なお、図５には、本発明の映像表示装置１０２が具備する構成要素のうち、本実施の形態に関わる主要な構成要素の一例を示す。
【００２３】
固体光源１２２は、図１に示した固体光源１２０と同じものである。気圧センサ１３２は、図１に示した気圧センサ１３０と同じものである。
制御部１４２は、気圧センサ１３２が測定した気圧の値を取得する。制御部１４２は、吸気ファン部１５２と排気ファン部１６２との少なくとも一方が動作した場合に気圧センサ１３２が測定した測定値に示される気圧の変化に基づいて、固体光源１２２の点灯を制御する。具体的には、制御部１４２は、吸気ファン部１５２および排気ファン部１６２が停止しているときに気圧センサ１３２が測定した気圧である停止気圧を取得する。また、制御部１４２は、吸気ファン部１５２が通常の回転方向で動作し、かつ排気ファン部１６２が通常の回転方向とは逆の回転方向で動作しているときに気圧センサ１３２が測定した気圧である動作気圧を取得する。制御部１４２は、取得した動作気圧と停止気圧とを比較する。比較の結果、動作気圧と停止気圧との差分が、あらかじめ設定された範囲を超える場合、制御部１４２は、固体光源１２２を点灯させる。
吸気ファン部１５２および排気ファン部１６２それぞれは、図１に示した吸気ファン部１５０および排気ファン部１６０とそれぞれ同じものである。
通知部１７２は、制御部１４２が行った比較の結果、動作気圧と停止気圧との差分が所定の範囲に含まれる場合、所定の通知を行う。ここで、通知部１７２は、例えば、映像表示装置１０２に具備された表示部（不図示）に所定の表示を行うことで通知を行う。この所定の通知は、例えば、蓋部１１２が開いていることを示すエラー通知であっても良いし、蓋部１１２が開いていることが原因で固体光源１２２が点灯できないことを示すエラー通知であっても良い。また、通知部１７２は、映像表示装置１０２に具備された所定のＬＥＤを点灯させたり、点滅させたりして、通知を行うものであっても良い。
【００２４】
以下に、図５に示した映像表示装置１０２における光源点灯制御方法について説明する。図６は、図５に示した映像表示装置１０２における光源点灯制御方法の一例を説明するためのフローチャートである。
【００２５】
まず、ＡＣスイッチＯＮした状態からスタンバイ状態へ移行し、利用者の電源キーの押下やリモコンの操作等、外部からの操作に基づいて映像表示装置１０２に電源が投入される（ステップＳ２１）。このとき、吸気ファン部１５２および排気ファン部１６２は、動作（回転）を開始しておらず、停止したままである。また、このとき、固体光源１２２は点灯していない。気圧センサ１３２は、映像表示装置１０２の内部の気圧の測定を開始する。
続いて、制御部１４２は、気圧センサ１３２が測定した気圧の値（停止気圧）を取得する（ステップＳ２２）。すると、ファン駆動部が吸気ファン部１５２を動作させる（ステップＳ２３）。また、ファン駆動部が排気ファン部１６２を通常の回転方向とは逆の回転方向で動作させる（ステップＳ２４）。ここで、ステップＳ２３の処理と、ステップＳ２４の処理とは、どちらが先の行われても良い。その後、制御部１４２は、気圧センサ１３２が測定した気圧（動作気圧）の値を取得する（ステップＳ２５）。
すると、制御部１４２は、動作気圧と停止気圧とを比較し、その差分が所定の範囲を超えているかどうかを判定する（ステップＳ２６）。ここで、所定の範囲は、あらかじめ設定されたオフセットを用いた範囲である。例えば、動作気圧を「Ｇ」とし、停止気圧を「Ｈ」とし、所定の範囲を０〜閾値「Ｉ」までとすると、制御部１４２は、以下の（式３）が成立するかどうかを判定する。
Ｇ−Ｈ＞Ｉ  ・・・（式３）
制御部１４２が、動作気圧と停止気圧との差分が所定の範囲を超えている、つまり、（式３）が成立すると判定した場合、制御部１４２は、蓋部１１２が閉じていると判定し、固体光源１２２を点灯させる（ステップＳ２７）。一方、制御部１４２が、動作気圧と停止気圧との差分が所定の範囲内である、つまり、（式３）が成立しないと判定した場合は、制御部１４２は、蓋部１１２が開いていると判定し、通知部１７２が所定の通知を行う（ステップＳ２８）。
【００２６】
一般的に、蓋部１１２が閉じているときは、吸気ファン部１５２および排気ファン部１６２が停止しているときの装置内部の気圧よりも、吸気ファン部１５２が通常の回転方向で動作し、かつ排気ファン部１６２が通常の回転方向とは逆の回転方向で動作しているときの装置内部の気圧の方が高くなる。これは、吸気ファン部１５２が動作し、さらに排気ファン部１６２が装置の外部から内部へ吸気する動作を行ったときに吸気された空気の逃げ道がなく、装置内部の気圧が高くなるためである。一方、蓋部１１２が開いているときは、吸気ファン部１５０および排気ファン部１６２が停止しているときの装置内部の気圧と、吸気ファン部１５２が通常の回転方向で動作し、かつ排気ファン部１６２が通常の回転方向とは逆の回転方向で動作しているときの装置内部の気圧との差分は、蓋部１１２が閉じているときの差分と比べて小さい。これは、吸気ファン部１５２が動作し、排気ファン部１６２が逆回転（つまり、吸気を行う方向）に動作したときに吸気された空気が、開いている蓋部１１２から外へ排気されるためである。
【００２７】
このように、吸気ファン部１５２および排気ファン部１６２が停止している状態での装置内部の気圧と、吸気ファン部１５２が通常の回転方向で動作し、かつ排気ファン部１６２が通常の回転方向とは逆の回転方向で動作している状態での装置内部の気圧とを比較し、その比較の結果に基づいて、固体光源１２２の点灯を制御する。これにより、固体光源１２２からの光が開いた蓋部１１２から漏れることを防止することができる。
（第４の実施の形態）
【００２８】
図７は、本発明の映像表示装置の第４の実施の形態を示す図である。本形態における映像表示装置１０３は図５に示すように、固体光源１２３と、気圧センサ１３３と、制御部１４３と、吸気ファン部１５３と、排気ファン部１６３と、通知部１７３とを有する。また、映像表示装置１０３の筐体には、開閉可能な蓋部１１３が設けられている。なお、図７には、本発明の映像表示装置１０３が具備する構成要素のうち、本実施の形態に関わる主要な構成要素の一例を示す。
【００２９】
固体光源１２３は、図１に示した固体光源１２０と同じものである。
気圧センサ１３３は、吸気ファン部１５３および排気ファン部１６３が動作し、かつ制御部１４３が固体光源１２３を点灯させている状態で、映像表示装置１０３の内部の気圧を所定のタイミングで複数回測定する。このタイミングは、あらかじめ設定されたものであって、例えば周期的なものであっても良く、ここでは特に規定しない。
制御部１４３は、気圧センサ１３３が測定した気圧の値を取得する。制御部１４３は、吸気ファン部１５３と排気ファン部１６３との少なくとも一方が動作した場合に気圧センサ１３３が測定した測定値に示される気圧の変化に基づいて、固体光源１２３の点灯を制御する。具体的には、制御部１４３は、吸気ファン部１５３および排気ファン部１６３が動作しているときに気圧センサ１３３が測定した気圧の値を取得する。また、制御部１４３は、気圧センサ１３３が測定した気圧と、その測定の前に気圧センサ１３３が測定した気圧との差分が所定の値よりも大きい場合、固体光源１２３を消灯させる。
吸気ファン部１５３および排気ファン部１６３それぞれは、図１に示した吸気ファン部１５０および排気ファン部１６０とそれぞれ同じものである。
通知部１７３は、制御部１４３が固体光源１２３を消灯させた場合、所定の通知を行う。ここで、通知部１７３は、例えば、映像表示装置１０３に具備された表示部（不図示）に所定の表示を行うことで通知を行う。この所定の通知は、例えば、蓋部１１３が開いていることを示すエラー通知であっても良いし、蓋部１１３が開いていることが原因で固体光源１２３が点灯できないことを示すエラー通知であっても良い。また、通知部１７３は、映像表示装置１０３に具備された所定のＬＥＤを点灯させたり、点滅させたりして、通知を行うものであっても良い。
【００３０】
以下に、図７に示した映像表示装置１０３における光源点灯制御方法について説明する。図８は、図７に示した映像表示装置１０３における光源点灯制御方法の一例を説明するためのフローチャートである。
【００３１】
まず、ＡＣスイッチＯＮした状態からスタンバイ状態へ移行し、利用者の電源キーの押下やリモコンの操作等、外部からの操作に基づいて映像表示装置１０３に電源が投入される（ステップＳ３１）。このとき、吸気ファン部１５３および排気ファン部１６３は、動作（回転）を開始しておらず、停止したままである。また、このとき、固体光源１２３は点灯していない。
続いて、ファン駆動部が吸気ファン部１５３を動作させる（ステップＳ３２）。また、ファン駆動部が排気ファン部１６３を動作させる（ステップＳ３３）。ステップＳ３２の処理とステップＳ３３の処理とは、どちらを先に行っても構わない。制御部１４３は、固体光源１２３を点灯させる（ステップＳ３４）。すると、気圧センサ１３３は、映像表示装置１０３の内部の気圧の測定を開始し、制御部１４３は、気圧センサ１３３が測定した気圧の値を取得する（ステップＳ３５）。その後、制御部１４３は、気圧センサ１３３が測定した気圧の値の次の取得（測定）タイミングを待つ（ステップＳ３６）。制御部１４３は、そのタイミングを待った後、気圧センサ１３３が次のタイミングで測定した気圧の値を取得する（ステップＳ３７）。
すると、制御部１４３は、気圧センサ１３３がステップＳ３７で測定した気圧と、気圧センサ１３３がステップＳ３５で測定した気圧とを比較し、その差分が所定の値よりも大きいかどうかを判定する（ステップＳ３８）。ここで、所定の範囲は、あらかじめ設定されたオフセットを用いた範囲である。例えば、気圧センサ１３３がステップＳ３５で測定した気圧を「Ｊ」とし、気圧センサ１３３がステップＳ３７で測定した気圧を「Ｋ」とし、所定の閾値を「Ｌ」とすると、制御部１４３は、以下の（式４）が成立するかどうかを判定する。
｜Ｊ−Ｋ｜＞Ｌ  ・・・（式４）
制御部１４３が、気圧センサ１３３がステップＳ３７で測定した気圧と、気圧センサ１３３がステップＳ３５で測定した気圧との差分が所定の値よりも大きいと判定した場合、つまり、（式４）が成立すると判定した場合、制御部１４３は、蓋部１１３が開いていると判定し、固体光源１２３を消灯させる（ステップＳ３９）。一方、制御部１４３が、気圧センサ１３３がステップＳ３７で測定した気圧と、気圧センサ１３３がステップＳ３５で測定した気圧との差分が所定の値以下であると判定した場合、つまり、（式４）が成立しないと判定した場合は、制御部１４３は、蓋部１１３が閉じていると判定し、ステップＳ３６にて次の取得（測定）タイミングを待つ。
制御部１４３が、固体光源１２３を消灯させると、通知部１７３が所定の通知を行う（ステップＳ４０）。
【００３２】
一般的に、吸気ファン部１５３と排気ファン部１６３との双方が動作している状態で、蓋部１１３が閉じているときは、装置内部の気圧はほぼ一定である。この状態（以下、通常状態と称する）と比較し、蓋部１１３が開いているときは、吸気ファン部１５３からの吸気が、排気ファン部１６３から排気される以外に、開いている蓋部１１３からも排気されるため、装置内部の気圧が通常状態における気圧よりも所定の閾値を超えて低く変化する。
【００３３】
このように、吸気ファン部１５３と排気ファン部１６３との双方が動作している状態で所定のタイミングで測定した装置内部の気圧を比較し、その気圧の変化に基づいて、固体光源１２３の点灯を制御する。これにより、固体光源１２３からの光が開いた蓋部１１３から漏れることを防止することができる。
（第５の実施の形態）
【００３４】
図９は、本発明の映像表示装置の第５の実施の形態を示す図である。本形態における映像表示装置１０４は図９に示すように、固体光源１２４と、気圧センサ１３４と、制御部１４４と、ファン部１８４とを有する。また、映像表示装置１０４の筐体には、開閉可能な蓋部１１４が設けられている。なお、図９には、本発明の映像表示装置１０４が具備する構成要素のうち、本実施の形態に関わる主要な構成要素の一例を示す。
【００３５】
固体光源１２４は、映像を投影するために用いられる、映像表示装置１０４の内部に具備された光源である。気圧センサ１３４は、映像表示装置１０４の内部の気圧を測定する。ファン部１８４は、映像表示装置１０４の内部と外部との換気を行う。制御部１４４は、ファン部１８４が動作した場合に気圧センサ１３４が測定した測定値に示される気圧の変化に基づいて、固体光源１２４の点灯を制御する。
【００３６】
以下に、図９に示した映像表示装置１０４における光源点灯制御方法について説明する。図１０は、図９に示した映像表示装置１０４における光源点灯制御方法の一例を説明するためのフローチャートである。
【００３７】
まず、ＡＣスイッチＯＮした状態からスタンバイ状態へ移行し、利用者の電源キーの押下やリモコンの操作等、外部からの操作に基づいて映像表示装置１０４に電源が投入される（ステップＳ５１）。このとき、ファン部１５４は、動作を開始しておらず、停止したままである。また、このとき、固体光源１２４は点灯していない。気圧センサ１３４は、映像表示装置１０４の内部の気圧の測定を開始する。
続いて、制御部１４４は、気圧センサ１３４が測定した気圧の値を取得する（ステップＳ５２）。そして、ファン部１８４が動作し（ステップＳ５３）、制御部１４４は、ファン部１８４が動作した場合に気圧センサ１３４が測定した測定値に示される気圧の変化に基づいて、固体光源１２４の点灯を制御する（ステップＳ５４）。
【００３８】
このように、制御部１４４が、ファン部１８４が動作した場合に気圧センサ１３４が測定した測定値に示される気圧の変化に基づいて、固体光源１２４の点灯を制御する。これにより、固体光源１２４からの光が開いた蓋部１１４から漏れることを防止することができる。
【００３９】
上述した映像表示装置１００〜１０４それぞれに設けられた各構成要素が行う処理は、目的に応じてそれぞれ作製された論理回路で行うようにしても良い。また、処理内容を手順として記述したコンピュータプログラム（以下、プログラムと称する）を映像表示装置１００〜１０４それぞれにて読取可能な記録媒体に記録し、この記録媒体に記録されたプログラムを映像表示装置１００〜１０４それぞれに読み込ませ、実行するものであっても良い。映像表示装置１００〜１０４それぞれにて読取可能な記録媒体とは、フロッピー（登録商標）ディスク、光磁気ディスク、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）、Ｂｌｕ−ｒａｙ（登録商標）  Ｄｉｓｃなどの移設可能な記録媒体の他、映像表示装置１００〜１０４それぞれに内蔵されたＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリやＨＤＤ（Ｈａｒｄ  Ｄｉｓｋ  Ｄｒｉｖｅ）等を指す。この記録媒体に記録されたプログラムは、映像表示装置１００〜１０４それぞれに設けられたＣＰＵ（Ｃｅｎｔｒａｌ  Ｐｒｏｃｅｓｓｉｎｇ  Ｕｎｉｔ）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【００４０】
上記の実施の形態の一部または全部は、以下の付記のようにも記載され得るが、以下には限られない。
（付記１）蓋部が設けられた映像表示装置であって、
映像を投影するために用いられる、当該映像表示装置の内部に具備された固体光源と、
当該映像表示装置の内部の気圧を測定する気圧センサと、
当該映像表示装置の内部と外部との換気を行うファン部と、
前記ファン部が動作した場合に前記気圧センサが測定した測定値に示される気圧の変化に基づいて、前記固体光源の点灯を制御する制御部とを有する映像表示装置。
（付記２）前記ファン部は、
当該映像表示装置の外部から内部への吸気を行う吸気ファン部と、
当該映像表示装置の内部から外部への排気を行う排気ファン部とを有し、
前記制御部は、前記吸気ファン部と前記排気ファン部との少なくとも一方が動作した場合に前記気圧センサが測定した測定値に示される気圧の変化に基づいて、前記固体光源の点灯を制御する、付記１に記載の映像表示装置。
（付記３）通知部を有し、
前記制御部は、前記吸気ファン部が動作しているときに前記気圧センサが測定した気圧である動作気圧と、前記吸気ファン部が停止しているときに前記気圧センサが測定した気圧である停止気圧との差分が所定の範囲外である場合、前記固体光源を点灯させ、
前記通知部は、前記動作気圧と前記停止気圧との差分が所定の範囲に含まれる場合、所定の通知を行う、付記２に記載の映像表示装置。
（付記４）通知部を有し、
前記制御部は、前記排気ファン部が動作しているときに前記気圧センサが測定した気圧である動作気圧と、前記排気ファン部が停止しているときに前記気圧センサが測定した気圧である停止気圧との差分が所定の範囲外である場合、前記固体光源を点灯させ、
前記通知部は、前記動作気圧と前記停止気圧との差分が所定の範囲に含まれる場合、所定の通知を行う、付記２に記載の映像表示装置。
（付記５）通知部を有し、
前記制御部は、前記吸気ファン部が通常の回転方向で動作し、かつ前記排気ファン部が通常の回転方向とは逆の回転方向で動作しているときに前記気圧センサが測定した気圧である動作気圧と、前記吸気ファン部と前記排気ファンとの双方が停止しているときに前記気圧センサが測定した気圧である停止気圧との差分が所定の範囲外である場合、前記固体光源を点灯させ、
前記通知部は、前記動作気圧と前記停止気圧との差分が所定の範囲に含まれる場合、所定の通知を行う、付記２に記載の映像表示装置。
（付記６）前記気圧センサは、前記吸気ファン部および前記排気ファン部が動作し、かつ前記制御部が前記固体光源を点灯させている状態で、前記気圧を所定のタイミングで複数回測定し、
前記制御部は、前記気圧センサが測定した気圧と、該測定の前に前記気圧センサが測定した気圧との差分が所定の値よりも大きい場合、前記固体光源を消灯させる、付記２に記載の映像表示装置。
（付記７）前記制御部が前記固体光源を消灯させた場合、所定の通知を行う通知部を有する、付記６に記載の映像表示装置。
（付記８）前記通知部は、所定の表示を行うことで前記通知を行う、付記３から５のいずれか１項または付記７に記載の映像表示装置。
（付記９）蓋部が設けられた映像表示装置の内部の気圧を測定する処理と、
前記映像表示装置の内部と外部との換気を行うファン部を動作させる処理と、
前記ファン部が動作した場合に前記測定した測定値に示される気圧の変化に基づいて、映像を投影するために用いられる、前記映像表示装置の内部に具備された固体光源の点灯を制御する処理とを行う光源点灯制御方法。
【００４１】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【符号の説明】
【００４２】
１００〜１０４    映像表示装置
１１０〜１１４    蓋部
１２０〜１２４    固体光源
１３０〜１３４    気圧センサ
１４０〜１４４    制御部
１５０〜１５３    吸気ファン部
１６０〜１６３    排気ファン部
１７０〜１７３    通知部
１８４    ファン部
【図１】
2018066850.tif 000003
【図２】
2018066850.tif 000004
【図３】
2018066850.tif 000005
【図４】
2018066850.tif 000006
【図５】
2018066850.tif 000007
【図６】
2018066850.tif 000008
【図７】
2018066850.tif 000009
【図８】
2018066850.tif 000010
【図９】
2018066850.tif 000011
【図１０】
2018066850.tif 000012